(57)【要約】【課題】カメラ付携帯端末において、静止画撮影モードと動画撮影モードの選択及び起動に関する操作性の向上。【解決手段】ワンタッチで静止画撮影モードと、動画撮影モードを切り替え起動することができるように、専用の静止画撮影モードと、動画撮影モードを選択し起動するスイッチを設けた。【選択図】　図１
2004128907.tif 000002
【特許請求の範囲】
【請求項１】
画像を撮影する撮影手段と、通話可能な通話手段とを備える携帯端末であって、
前記撮影手段は、静止画を撮影する静止画撮影モードと動画を撮影する動画撮影モードを有し、
前記静止画撮影モードか前記動画撮影モードかを選択し、起動を行うよう制御する撮影モード選択起動手段を備えたことを特徴とする携帯端末。
【請求項２】
第１の表示部と前記第１の表示部とは逆の背面に配置された第２の表示部とを有する第１の筐体と、第１の操作部を有する第２の筐体とがヒンジ部を介して折り畳み可能な携帯端末であって、
画像を撮影する撮影手段と、
前記撮影手段により画像を撮影する際に用いられる第２の操作部とを備え、
前記第２の操作部は、前記第１の筐体の前記第２の表示部を有する正面に配置され、
前記撮影手段は、静止画を撮影する静止画撮影モードと動画を撮影する動画撮影モードを有し、
前記静止画撮影モードか前記動画撮影モードかを選択し、起動を行うよう制御する撮影モード選択起動手段を備えたことを特徴とする携帯端末。
【請求項３】
請求項２に記載の携帯端末であって、
前記撮影モード選択起動手段を、筐体の側面に配置したことを特徴とする携帯端末。
【請求項４】
請求項２に記載の携帯端末であって、
前記撮影モード選択起動手段を、前記第２の筐体の側面に配置したことを特徴とする携帯端末。
【請求項５】
請求項２乃至４のいずれかに記載の携帯端末であって、
折り畳んでいる時は前記第２の表示部に画像を表示し、開いている時は前記第１の表示部に画像を表示することを特徴とする携帯端末。
【発明の詳細な説明】
【０００１】
【発明の属する技術分野】
本発明は、カメラ付携帯端末に関するものであり、特に折り畳み携帯端末に関するものである。ここで、携帯端末とは、例えば、携帯電話、ＰＨＳ、ＰＤＡ（Ｐｅｒｓｏｎａｌ　Ｄｉｇｉｔａｌ　Ａｓｓｉｓｔａｎｔ）やＰＣＳ　（Ｐｅｒｓｏｎａｌ　Ｃｏｍｍｕｎｉｃａｔｉｏｎｓ　Ｓｅｒｖｉｃｅｓ）、ＰＣ（Ｐｅｒｓｏｎａｌ　Ｃｏｍｐｕｔｅｒ）等である。
【０００２】
【従来の技術】
従来の折り畳み式携帯電話は、受話器側ケースと送話器側ケースとがそれぞれの端部において相互に揺動可能な状態で連結して構成されており、両ケースを閉じたとき外側となる受話器側ケースの表面、及び／又は両ケースを閉じたとき外側となる送話器側ケースの表面に、操作キーとディスプレイとを設けている（例えば、特許文献１参照）。
【０００３】
また、従来の折り畳み式カメラ付携帯電話は、携帯電話本体筐体の内面にテレビ電話の表示手段を設け、小型テレビカメラをヒンジ部に設けている（例えば、特許文献２参照）。
【０００４】
【特許文献１】
特開２００２−１１１８１６号公報　（第６頁、第３図）
【特許文献２】
特開２００１−１３６２５０号公報　（第１１頁、第１２図）
【０００５】
【発明が解決しようとする課題】
しかしながら、上記特許文献１の公知例では、カメラがついた携帯端末を想定していなかった。
【０００６】
また、上記特許文献２の公知例では、カメラ付携帯端末ではあるが、撮影の仕方について、配慮がされていなかった。
【０００７】
そこで、本発明の課題は、カメラ付携帯端末において、静止画撮影モードと動画撮影モードの選択及び起動に関する操作性向上を図ったカメラ付携帯端末を提供することにある。
【０００８】
【課題を解決するための手段】
上記目的を達するため、ワンタッチで静止画撮影モードと、動画撮影モードを選択起動することができるように、専用の静止画撮影モードと、動画撮影モードを選択し起動するスイッチを設けることとした。
【０００９】
【発明の実施の形態】
本発明の第１の実施例について説明する。ここでは、折り畳み可能なカメラ付携帯電話において、折り畳まれた状態におけるカメラ操作について説明するが、ストレートタイプのカメラ付携帯電話等の携帯端末であっても本発明の適用は可能である。以下、図面において、同一の機能部については同符号を用いる。
【００１０】
図１は、本実施例のカメラ付携帯電話の外観図を示し、図２は本実施例の構成ブロック図を示す。また、図１（１）に正面から見た筐体図、図１（２）に背面から見た筐体図、図１（３）に折り畳まれた状態の側面から見た筐体図、図１（４）に折り畳まれた状態の筐体図をそれぞれ示す。なお、本実施例においては、カメラ付携帯端末を正面からみて方向（左右上下）を定義する。
【００１１】
本実施例のカメラ付携帯電話は、開閉可能な２つの筐体２００と筐体２０１、及び撮像カメラ１０９を有している。この筐体２００と筐体２０１はＸ−Ｘ軸を回動軸として折り畳み可能な構造であって、ヒンジ部３００において接続されている。筐体２００は、主なる入力操作を行うメイン操作キー１０６と、マイク１１１を備え、撮像カメラの撮像モードを選択し起動するための撮影モード選択起動スイッチ１０５を配している。ここで、メイン操作キー１０６は、電話番号その他の情報を入力する入力部であり、一般的な電話として使う時には、相手の電話番号を入力するのに用い、メール等を送る場合には文字情報等を入力する。一般的な電話における電波の送受信は、はＣＰＵ１１０の制御のより、通信部１０１にて行う。
【００１２】
また、メイン操作キー部１０６はＣＰＵ１１０により制御されるので、同じキーが押下されてもＣＰＵ１１０からの制御により、キー操作の組み合わせで異なるデータあるいは異なる入力信号として扱うことができる。また、撮影モード選択起動スイッチ１０５は、動画像を撮影するための動画モード、静止画像を撮影するための静止画モード、を選択し起動するためのキーである。
【００１３】
筐体２００は、通話スピーカ１１２と、主な表示を行うメイン表示部１０３を備え、メイン表示部１０３の背面に簡易な表示を行うサブ表示部１０４と楽曲スピーカ１１３を備えている。ここで、メイン表示部１０３には、電源状態、電波強度、電池残量、サーバ接続状態、未読メール等の動作状態を表示させるほか、入力した電話番号、メール宛先、メール送信文書等や、動画および静止画、着信時の発呼者の電話番号、着信メール文書、接続されたインターネット画面等の受信データの表示を行う。また、サブ表示部１０４には、カメラ付携帯電話の動作状態、例えば、電源状態、電波強度、電池残量、サーバ接続状態、未読メールを示すアイコン等を表示させる。また、メイン表示部１０３及びサブ表示部１０４は、カメラ動作時においてはファインダーとして撮像カメラ１０９により撮像された画像情報を表示（モニタ）させることができる。また、筐体２０１においてサブ表示部１０４を有する面には、撮像カメラ１０９により撮像する際に用いられるサブ操作キー１０７（図１（２）においては１０７ａ、１０７ｂ）を備えている。また、筐体２００と筐体２０１とを接続するヒンジ部３００の間のほぼ中央には、筐体２００と２０１とは別に回動可能な撮像カメラ１０９を配設しており、この撮像カメラ１０９により動画および静止画の撮像を行う。
【００１４】
なお，図示しないが、伸縮可能なアンテナも設けており、このアンテナによりサーバとの通信機能や、ＧＰＳ（全地球測位システム）機能を用いることが可能となっている。また、このアンテナは内蔵アンテナにしてもよい。
【００１５】
次に、カメラ撮影モード選択及びカメラ撮影の起動方法及び処理について説明する。図１の実施例におけるカメラ撮影モード選択及び起動スイッチ１０５は、筐体の側面に配置されており、その構造は、図３の模式図で示される構造となっている。図３は、図１（１）のように正面からみたときのカメラ撮影モード選択及び起動スイッチ１０５である。
【００１６】
図３の模式図を説明すると、スイッチ本体４００にスライド釦４０１が装着され、端子４０２、端子４０３、端子４０４が検出信号端子である。この検出信号端子を用いて、ＣＰＵ１１０が、カメラ撮影モード選択及び起動スイッチの状態を判別する。
【００１７】
スイッチに手を触れない状態は、図示せざるバネにより、スライド釦（導電性）は、図３（２）の状態に維持されている。この場合、端子４０２と端子４０３間及び端子４０２と端子４０４間は非導通状態である。スライド釦を上に移動した場合（図３（１）の状態）は、端子４０２と端子４０３間は導通状態で、端子４０２と端子４０４間は非導通状態である。スライド釦を下に移動した場合（図３（３）の状態）は、端子４０２と端子４０３間は非導通状態で、端子４０２と端子４０４間は導通状態である。ＣＰＵ１１０は、これら端子間の導通状態及び非導通状態を検出して、スイッチの状態を判別する。
【００１８】
次に、カメラ付携帯電話が開いた状態での撮影モード選択と起動方法および撮影の手順について説明する。図３（２）の状態において、図３（２）の状態から図３（１）の状態が所定の時間継続したら、動画撮影モードと判断する。また、図３（２）の状態において、図３（２）の状態から図３（３）の状態が所定の時間継続したら、静止画撮影モードと判断する。図３（１）および図３（３）の状態で、スライド釦から手を離すと、図示せざるバネにより、図３（２）の状態に自動復帰する。ここで、所定の時間経過を待つのは、カバンの中などでの衝撃による誤操作や、取り出す時の誤操作に配慮したものである。
【００１９】
まず、カメラ付携帯電話が開いた状態において説明する。カメラ付携帯電話が開いた状態であることは、折畳検出部１０８により検出した信号を、ＣＰＵ１１０にて判別する。
【００２０】
図４は、撮影モードの起動処理を示したフローチャートであり、ステップ４１０の撮影モード起動開始から、撮影モード起動に至る手順を示している。ステップ４１１で撮影モードが選択されると、ステップ４１２でその撮影モードが、静止画撮影モードであるか動画撮影モードであるかを判別し、静止画撮影モードであれば、静止画撮影モードを起動（ステップ４１３）し、静止画撮影モードに移行（ステップ４１４）する。ステップ４１２で動画撮影モードであれば、動画撮影モードを起動（ステップ４１５）し、動画撮影モードに移行（ステップ４１６）する。
【００２１】
図５は、静止画撮影モードのフローチャートである。静止画撮影モードに移行（ステップ４２０）すると、メイン表示部１０３に「フォトを起動します」というメッセージを表示（ステップ４２１）し、撮像カメラ１０９からの撮影画像をメイン表示部１０３に表示（フォトモニターモード）する（ステップ４２２）。メイン操作キー１０６の上方向釦を押すと、メイン表示部１０３に撮像カメラ１０９からの撮影画像を拡大して表示し、メイン操作キー１０６の下方向釦を押すと撮像カメラ１０９からの撮影画像を縮小して表示する。メイン操作キー１０６の右方向釦を押すと、露光を上げ、メイン操作キー１０６の左方向釦を押すと、露光を下げる。
【００２２】
撮影するには、撮影釦（ここでは、メイン操作キー１０６のセンター釦を撮影釦としている。）を押す。撮影釦が押されると、撮影釦が押されたことをＣＰＵ１１０が検出し、シャッター音を発生させ（ステップ４２３）、撮影したフォトを確認させるためフォトプレビューモードに移行する（ステップ４２４）。この撮影したフォトを保存するには、保存釦（ここでは、メイン操作キー１０６のセンター釦を保存釦としている。）を押す。
【００２３】
保存釦が押されると、保存釦が押されたことをＣＰＵ１１０が検出し、メイン表示部１０３に「保存中」というメッセージを表示（ステップ４２５）し、メモリ１０２に保存する。保存が完了したら、メイン表示部１０３に「保存しました」というメッセージを表示（ステップ４２６）する。確認釦（ここでは、メイン操作キー１０６のセンター釦を確認釦としている。）が押されるか、ステップ４２６の状態で３秒以上経過すると、再度フォトモニターモードに移行する（ステップ４２２）。
【００２４】
図６は、動画撮影モードのフローチャートである。動画撮影モードに移行（ステップ４３０）すると、メイン表示部１０３に「ムービを起動します」というメッセージを表示（ステップ４３１）し、撮像カメラ１０９からの撮影画像をメイン表示部１０３に表示（ムービモニターモード）する（ステップ４３２）。メイン操作キー１０６の上方向釦を押すと、メイン表示部１０３に撮像カメラ１０９からの撮影画像を拡大して表示し、メイン操作キー１０６の下方向釦を押すと撮像カメラ１０９からの撮影画像を縮小して表示する。メイン操作キー１０６の右方向釦を押すと、露光を上げ、メイン操作キー１０６の左方向釦を押すと、露光を下げる。
【００２５】
撮影するには、録画釦（ここでは、メイン操作キー１０６のセンター釦を録画釦としている。）を押す。録画釦が押されると、録画釦が押されたことをＣＰＵ１１０が検出し、録画開始音を発生させ（ステップ４３３）、録画中は、メイン表示部１０３に「●ＲＥＣ」というメッセージを点滅表示（ステップ４３４）する。予め設定された録画時間が経過するか停止釦（ここでは、メイン操作キー１０６のセンター釦を停止釦としている。）が押されると、録画を終了する。録画が終了したら、録画終了音を発生させ（ステップ４３５）、撮影したムービを確認させるためムービプレビューモードに移行する（ステップ４３６）。この撮影したムービを保存するには、保存釦（ここでは、メイン操作キー１０６のセンター釦を保存釦としている。）を押す。保存釦が押されると、保存釦が押されたことをＣＰＵ１１０が検出し、メイン表示部１０３に「保存中」というメッセージを点滅表示（ステップ４３７）し、メモリ１０２に保存する。保存が完了したら、メイン表示部１０３に「保存しました」というメッセージを表示（ステップ４３８）する。確認釦（ここでは、メイン操作キー１０６のセンター釦を確認釦としている。）が押されるか、ステップ４３８の状態で３秒以上経過すると、再度ムービモニターモードに移行する（ステップ４３２）。
【００２６】
通常の操作では、メイン操作キー１０６のセンター釦を順次押すだけで、目的の撮影ができる。
【００２７】
次に、カメラ付携帯電話が閉じた状態の説明をする。カメラ付携帯電話が閉じた状態であることは、折畳検出部１０８により検出した信号を、ＣＰＵ１１０にて判別する。閉じた状態であっても、基本的な処理フローは、開いた状態と同じである。ここでは、開いた状態と異なる閉じた状態での処理について説明する。
【００２８】
閉じた状態では、メイン表示部１０３の代わりにサブ表示部１０４、メイン操作キー１０６の代わりに、サブ操作キー１０７を使用する。したがって、図４、図５、図６のフローチャートは同じである。静止画撮影モードにおける開いた状態と閉じた状態の差異を説明する。
【００２９】
閉じた状態では、メイン操作キー１０６が使用できないので、フォトモニターモードにおけるメイン操作キー１０６の上方向釦、メイン操作キー１０６の下方向釦、メイン操作キー１０６の右方向釦、メイン操作キー１０６の左方向釦を押した場合の機能は実現できない。閉じた状態では、拡大縮小画面の機能に限定してサブ操作キー１０７を使用する。サブ操作キー１０７ａを押すとサブ表示部１０４に撮像カメラ１０９からの撮影画像を拡大して表示する。サブ操作キー１０７ａを押すたびに順次拡大表示し、最大拡大表示状態の次にサブ操作キー１０７ａが押されたら、最小縮小表示状態に移行する。
【００３０】
フォトモニターモードでは、サブ操作キー１０７ｂを、撮影釦として使用する。フォトプレビューモードでは、サブ操作キー１０７ｂを、保存釦として使用する。保存終了後の確認画面では、サブ操作キー１０７ｂを、確認釦として使用する。
【００３１】
動画撮影モードにおける開いた状態と閉じた状態の差異を説明する。
閉じた状態では、メイン操作キー１０６が使用できないので、ムービモニターモードにおけるメイン操作キー１０６の上方向釦、メイン操作キー１０６の下方向釦、メイン操作キー１０６の右方向釦、メイン操作キー１０６の左方向釦を押した場合の機能は実現できない。閉じた状態では、拡大縮小画面の機能に限定してサブ操作キー１０７を使用する。サブ操作キー１０７ａを押すとサブ表示部１０４に撮像カメラ１０９からの撮影画像を拡大して表示する。サブ操作キー１０７ａを押すたびに順次拡大表示し、最大拡大表示状態の次にサブ操作キー１０７ａが押されたら、最小縮小表示状態に移行する。
【００３２】
ムービモニターモードでは、サブ操作キー１０７ｂを、録画釦として使用する。ムービプレビューモードでは、サブ操作キー１０７ｂを、保存釦として使用する。保存終了後の確認画面では、サブ操作キー１０７ｂを、確認釦として使用する。
【００３３】
通常の操作では、サブ操作キー１０７ｂを順次押すだけで、目的の撮影ができる。
【００３４】
静止画撮影モードを終了するには、再度静止画撮影モードを選択するか、キー操作が３分間なかった場合に終了する。動画撮影モードを終了するには、再度動画撮影モードを選択するか、キー操作が３分間なかった場合に終了する。
【００３５】
図７は、カメラ撮影モード選択起動スイッチの他の実施例である。（図３と同一機能を果たすものには同一符号を付す。）図７は、図３の実施例と基本的には同じであるが、スイッチに手を触れない状態は、図示せざるバネにより、スライド釦（導電性）は、図７（２）の状態に維持されている。この場合、端子４０２と端子４０３間は非導通状態で、端子４０２と端子４０４間は導通状態である。スライド釦を上に移動した場合（図７（１）の状態）は、端子４０２と端子４０３間は導通状態で、端子４０２と端子４０４間は非導通状態である。ＣＰＵ１１０は、これら端子間の導通状態及び非導通状態を検出して、スイッチの状態を判別する。
【００３６】
次に、カメラ付携帯電話が開いた状態での撮影モード選択と起動方法および撮影の手順について説明する。図７（２）の状態において、図７（２）の状態から図７（１）の状態が第１の所定時間継続したら、静止画撮影モードと判断し、さらに第２の所定時間以上継続したら動画撮影モードと判断する。図７（１）の状態で、スライド釦から手を離すと、図示せざるバネにより、図７（２）の状態に自動復帰する。ここで、所定の時間経過を待つのは、カバンの中などでの衝撃による誤操作や、取り出す時の誤操作に配慮したものである。
【００３７】
図３のスイッチの構造で、バネが無くて自動復帰をしないスイッチの場合は、図３（２）状態を終了とし、図３（１）の状態を動画撮影モード選択及び起動に、図３（３）の状態を静止画撮影モード選択及び起動に、それぞれ判別することもできる。
【００３８】
図７のスイッチの構造で、バネが無くて自動復帰をしないスイッチの場合は、図７（１）の状態を動画撮影モード選択及び起動に、図７（２）の状態を静止画撮影モード選択及び起動に、それぞれ判別することもできる。
【００３９】
カメラ撮影モード選択起動スイッチの別の実施例について説明する。その構造は、図８の模式図で示される構造となっている。図８の模式図を説明すると、スイッチ本体５００に押し釦５０１が装着され、端子５０２、端子５０３が検出信号端子である。この検出信号端子を用いて、ＣＰＵ１１０が、カメラ撮影モード選択及び起動スイッチの状態を判別する。スイッチに手を触れない状態は、図示せざるバネにより、押し釦（導電性）は、図８（１）の状態に維持されている。この場合、端子５０２と端子５０３間は非導通状態である。押し釦を押し込んだ場合（図８（２）の状態）は、端子５０２と端子５０３間は導通状態である。ＣＰＵ１１０は、これら端子間の導通状態及び非導通状態を検出して、スイッチの状態を判別する。
【００４０】
次に、カメラ付携帯電話の撮影モード選択と起動方法および撮影の手順について説明する。図８（１）の状態において、図８（１）の状態から図８（２）の状態が第１の所定時間継続したら、静止画撮影モードと判断し、さらに第２の所定時間以上継続したら動画撮影モードと判断する。図８（２）の状態で、押し釦から手を離すと、図示せざるバネにより、図８（１）の状態に自動復帰する。ここで、所定の時間経過を待つのは、カバンの中などでの衝撃による誤操作や、取り出す時の誤操作に配慮したものである。
【００４１】
また、図８のスイッチを用いて、所定時間内に１回押されたら、静止画撮影モードの選択及び起動に、所定時間内に２回押されたら、動画撮影モードの選択及び起動にとして判別することもできる。
【００４２】
図９は、カメラ撮影モード選択起動スイッチの更に別の実施例である（図８と同一機能を果たすものには同一符号を付す。）。図９は、図８の実施例と基本的には同じであるが、端子５０４が追加されており、図９（２）の中間状態が検出できる構造になっている。スイッチに手を触れない状態は、図示せざるバネにより、押し釦（導電性）は、図９（１）の状態に維持されている。この場合、端子５０２と端子５０３間及び、端子５０３と端子５０４間は非導通状態である。押し釦５０１を中間状態まで押し込んだ場合（図９（２）の状態）は、端子５０２と端子５０４間は導通状態で、端子５０４と端子５０３間は非導通状態である。押し釦５０１を押し込んだ場合（図９（３）の状態）は、端子５０２と端子５０３間は導通状態である。ＣＰＵ１１０は、これら端子間の導通状態及び非導通状態を検出して、スイッチの状態を判別する。
【００４３】
次に、カメラ付携帯電話の撮影モード選択と起動方法および撮影の手順について説明する。図９（１）の状態において、図９（１）の状態から図９（２）の状態が所定時間継続したら、静止画撮影モードと判断し、図９（１）の状態から図９（３）の状態が所定時間継続したら動画撮影モードと判断する。図９（２）もしくは（３）の状態で、押し釦から手を離すと、図示せざるバネにより、図９（１）の状態に自動復帰する。ここで、所定の時間経過を待つのは、カバンの中などでの衝撃による誤操作や、取り出す時の誤操作に配慮したものである。
【００４４】
以上により、カメラ撮影モードの選択及び起動が、容易に実現でき、カメラ付携帯電話の開閉状態を考慮して、メイン表示部１０３もしくはサブ表示部１０４に撮像カメラからの撮像画面を表示し、撮影時の使い勝手が向上する。
【００４５】
【発明の効果】
本発明によれば、カメラ付携帯電話でのカメラ撮影モード選択及び起動が容易に実現することができる。
【図面の簡単な説明】
【図１】第１の実施例の携帯電話の外観図である。
【図２】第１の実施例の構成ブロック図である。
【図３】第１の実施例のモード選択起動スイッチの構造を説明する模式図である。
【図４】第１の実施例における撮影モードの起動処理を示したフローチャートである。
【図５】第１の実施例における静止画撮影モードのフローチャートである。
【図６】第１の実施例における動画撮影モードのフローチャートである。
【図７】他のカメラ撮影モード選択起動スイッチの構造を説明する模式図である。
【図８】別のカメラ撮影モード選択起動スイッチの構造を説明する模式図である。
【図９】更に別のモード選択起動スイッチの構造を説明する模式図である。
【符号の説明】
１０１・・・通信部、１０２・・・メモリ、１０３・・・メイン表示部、１０４・・・サブ表示部、１０５・・・撮影モード選択起動スイッチ、１０６・・・メイン操作キー、１０７ａ、１０７ｂ・・・サブ操作キー、１０８・・・折り畳み検出部、１０９・・・撮像カメラ、１１０・・・ＣＰＵ、１１１・・・マイク、１１２・・・通話用スピーカ、１１３・・・楽曲用スピーカ、２００、２０１・・・筐体、３００・・・ヒンジ部
【図１】
2004128907.tif 000003
【図２】
2004128907.tif 000004
【図３】
2004128907.tif 000005
【図４】
2004128907.tif 000006
【図５】
2004128907.tif 000007
【図６】
2004128907.tif 000008
【図７】
2004128907.tif 000009
【図８】
2004128907.tif 000010
【図９】
2004128907.tif 000011